(57)【要約】【課題】コンパクトに折畳まれた状態を維持する。【解決手段】回路基板７０は導電回路１８Ａを含む最下層基板３０ｂと、最上層基板３０ａと、中間層基板３０ｃとを備えている。最下層基板３０ｂに折曲線６４が設けられ、最上層基板３０ａと中間層基板３０ｃに、折曲線６４から延長する第１切取部１０１と第２切取部１０２が各々設けられている。【選択図】図５
2018067577.tif 000002
【特許請求の範囲】
【請求項１】
導電回路を含む最下層基板と、
前記最下層基板に折畳まれる最上層基板とを備え、
前記最下層基板または前記最上層基板のうちいずれか一方に、当該基板を折曲げる折曲線が設けられ、他方のうち前記折曲線から延長する領域に、帯状の第１切取部が形成されている、回路基板。
【請求項２】
前記最下層基板に折畳まれて前記最下層基板と前記最上層基板間に介在される中間層基板を更に備え、
前記中間層基板のうち前記最下層基板の前記折曲線から延長する領域に、帯状の第２切取部が形成されている、請求項１記載の回路基板。
【請求項３】
導電回路を含む最下層基板と、
前記最下層基板に折畳まれる最上層基板とを備え、
前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板。
【請求項４】
導電回路を含む最下層基板と、前記最下層基板に折畳まれる最上層基板とを備え、前記最下層基板または前記最上層基板のうちいずれか一方に、当該基板を折曲げる折曲線が設けられ、他方のうち前記折曲線から延長する領域に、帯状の第１切取部が形成されている、回路基板と、
前記導電回路に接続された通信モジュールと、を備えた回路装置。
【請求項５】
導電回路を含む最下層基板と、前記最下層基板に折畳まれる最上層基板とを備え、前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板と、
前記導電回路に接続された通信モジュールと、を備えた回路装置。
【請求項６】
導電回路を含む最下層基板と、前記最下層基板に折畳まれる最上層基板とを備え、前記最下層基板または前記最上層基板のうちいずれか一方に、当該基板を折曲げる折曲線が設けられ、他方のうち前記折曲線から延長する領域に、帯状の第１切取部が形成されている、回路基板と、
前記導電回路に接続された通信モジュールとを備え、
前記導電回路は一部が破断可能となっており、
前記通信モジュールはＩＣチップと、このＩＣチップに電源電圧を供給するボタン電池とを有し、
前記ＩＣチップは前記導電回路の破断した位置情報と、破断した時刻を時系列で記録する記録部と、
前記記録部を制御する制御部と、
外部のホスト装置との間で近接通信を行う無線通信部とを有する、情報記録装置。
【請求項７】
導電回路を含む最下層基板と、前記最下層基板に折畳まれる最上層基板とを備え、前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板と、
前記導電回路に接続された通信モジュールとを備え、
前記導電回路は一部が破断可能となっており、
前記通信モジュールはＩＣチップと、このＩＣチップに電源電圧を供給するボタン電池とを有し、
前記ＩＣチップは前記導電回路の破断した位置情報と、破断した時刻を時系列で記録する記録部と、
前記記録部を制御する制御部と、
外部のホスト装置との間で近接通信を行う無線通信部とを有する、情報記録装置。
【請求項８】
導電回路を含む最下層基板と、前記最下層基板に折畳まれる最上層基板とを備え、前記最下層基板または前記最上層基板のうちいずれか一方に、当該基板を折曲げる折曲線が設けられ、他方のうち前記折曲線から延長する領域に、帯状の第１切取部が形成されている、回路基板と、
前記導電回路に接続された通信モジュールとを備え、
前記導電回路は、押圧可能な複数の選択ボタンに接続され、
前記通信モジュールはＩＣチップと、このＩＣチップに電源電圧を供給するボタン電池とを有し、
前記ＩＣチップは押圧された選択ボタンを特定する情報と、押圧された時刻を時系列で記録する記録部と、
前記記録部を制御する制御部と、
外部のホスト装置との間で近接通信を行う無線通信部とを有する、情報記録装置。
【請求項９】
導電回路を含む最下層基板と、前記最下層基板に折畳まれる最上層基板とを備え、前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板と、
前記導電回路に接続された通信モジュールとを備え、
前記導電回路は、押圧可能な複数の選択ボタンに接続され、
前記通信モジュールはＩＣチップと、このＩＣチップに電源電圧を供給するボタン電池とを有し、
前記ＩＣチップは押圧された選択ボタンを特定する情報と、押圧された時刻を時系列で記録する記録部と、
前記記録部を制御する制御部と、
外部のホスト装置との間で近接通信を行う無線通信部とを有する、情報記録装置。
【請求項１０】
導電回路を含む最下層基板と、前記最下層基板に折畳まれる最上層基板とを備え、前記最下層基板または前記最上層基板のうちいずれか一方に、当該基板を折曲げる折曲線が設けられ、他方のうち前記折曲線から延長する領域に、帯状の第１切取部が形成されている、回路基板と、
前記導電回路に接続された通信モジュールとを備え、
前記導電回路は、一部が破断可能となるとともに、押圧可能な複数の選択ボタンに接続され、
前記通信モジュールはＩＣチップと、このＩＣチップに電源電圧を供給するボタン電池とを有し、
前記ＩＣチップは前記導電回路の破断した位置情報と、破断した時刻を時系列で記録するとともに、押圧された選択ボタンを特定する情報と、押圧された時刻を時系列で記録する記録部と、
前記記録部を制御する制御部と、
外部のホスト装置との間で近接通信を行う無線通信部とを有する、情報記録装置。
【請求項１１】
導電回路を含む最下層基板と、前記最下層基板に折畳まれる最上層基板とを備え、前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板と、
前記導電回路に接続された通信モジュールとを備え、
前記導電回路は、一部が破断可能となるとともに、押圧可能な複数の選択ボタンに接続され、
前記通信モジュールはＩＣチップと、このＩＣチップに電源電圧を供給するボタン電池とを有し、
前記ＩＣチップは前記導電回路の破断した位置情報と、破断した時刻を時系列で記録するとともに、押圧された選択ボタンを特定する情報と、押圧された時刻を時系列で記録する記録部と、
前記記録部を制御する制御部と、
外部のホスト装置との間で近接通信を行う無線通信部とを有する、情報記録装置。
【発明の詳細な説明】
【技術分野】
【０００１】
本発明は、回路基板、回路装置および情報記録装置に係り、とりわけコンパクトに折曲げて使用することができる回路基板、回路装置および情報記録装置に関する。
【背景技術】
【０００２】
基板上に導電パターンをシルク印刷し、導電パターンの端子部に導電性接着剤を介して通信モジュールのパッドを電気的に接続したシート状の検知装置が実用化されている。
【０００３】
特許文献１に開示された検知装置は、使用者が説明文の内容にしたがって任意の選択ボタンを押圧すると、その情報が紙基板に埋め込まれた通信モジュールに記憶され、記憶された情報は近接無線通信でホスト装置で読み出せるようにしている。
【０００４】
ところで、このような検知装置において、導電パターンを有する基板は、折曲線を介して連結された複数の基板からなり、使用中基板は拡げられるが、使用後は折曲線を介して折り曲げられてコンパクトに折り畳まれる。しかしながら基板を折り曲げた場合、折曲げられた基板同士が元に戻ろうとして、折り曲げた状態を維持することがむずかしい場合がある。
【先行技術文献】
【特許文献】
【０００５】
【特許文献１】特表２００８−５１６２４８号公報
【特許文献２】特開平７−２２０９９号公報
【発明の概要】
【発明が解決しようとする課題】
【０００６】
本発明は、このような点を考慮してなされたものであり、基板を折り曲げた場合に元の状態に戻ることなく折り曲げた状態を維持してコンパクトな形状を保つことができる回路基板、回路装置および情報記録装置を提供することを目的とする。
【課題を解決するための手段】
【０００７】
本実施の形態は、導電回路を含む最下層基板と、前記最下層基板に折畳まれる最上層基板とを備え、前記最下層基板または前記最上層基板のうちいずれか一方に、当該基板を折曲げる折曲線が設けられ、他方のうち前記折曲線から延長する領域に、帯状の第１切取部が形成されている、回路基板である。
【０００８】
本実施の形態は、前記最下層基板に折畳まれて前記最下層基板と前記最上層基板間に介在される中間層基板を更に備え、前記中間層基板のうち前記最下層基板の前記折曲線から延長する領域に、帯状の第２切取部が形成されている、回路基板である。
【０００９】
本実施の形態は、導電回路を含む最下層基板と、前記最下層基板に折畳まれる最上層基板とを備え、前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板である。
【００１０】
本実施の形態は、導電回路を含む最下層基板と、前記最下層基板に折畳まれる最上層基板とを備え、前記最下層基板または前記最上層基板のうちいずれか一方に、当該基板を折曲げる折曲線が設けられ、他方のうち前記折曲線から延長する領域に、帯状の第１切取部が形成されている、回路基板と、前記導電回路に接続された通信モジュールと、を備えた回路装置である。
【００１１】
本実施の形態は、導電回路を含む最下層基板と、前記最下層基板に折畳まれる最上層基板とを備え、前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板と、前記導電回路に接続された通信モジュールと、を備えた回路装置である。
【００１２】
本実施の形態は、導電回路を含む最下層基板と、前記最下層基板に折畳まれる最上層基板とを備え、前記最下層基板または前記最上層基板のうちいずれか一方に、当該基板を折曲げる折曲線が設けられ、他方のうち前記折曲線から延長する領域に、帯状の第１切取部が形成されている、回路基板と、前記導電回路に接続された通信モジュールとを備え、前記導電回路は一部が破断可能となっており、前記通信モジュールはＩＣチップと、このＩＣチップに電源電圧を供給するボタン電池とを有し、前記ＩＣチップは前記導電回路の破断した位置情報と、破断した時刻を時系列で記録する記録部と、前記記録部を制御する制御部と、外部のホスト装置との間で近接通信を行う無線通信部とを有する、情報記録装置である。
【００１３】
本実施の形態は、導電回路を含む最下層基板と、前記最下層基板に折畳まれる最上層基板とを備え、前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板と、前記導電回路に接続された通信モジュールとを備え、前記導電回路は一部が破断可能となっており、前記通信モジュールはＩＣチップと、このＩＣチップに電源電圧を供給するボタン電池とを有し、前記ＩＣチップは前記導電回路の破断した位置情報と、破断した時刻を時系列で記録する記録部と、前記記録部を制御する制御部と、外部のホスト装置との間で近接通信を行う無線通信部とを有する、情報記録装置である。
【００１４】
本実施の形態は、導電回路を含む最下層基板と、前記最下層基板に折畳まれる最上層基板とを備え、前記最下層基板または前記最上層基板のうちいずれか一方に、当該基板を折曲げる折曲線が設けられ、他方のうち前記折曲線から延長する領域に、帯状の第１切取部が形成されている、回路基板と、前記導電回路に接続された通信モジュールとを備え、前記導電回路は、押圧可能な複数の選択ボタンに接続され、前記通信モジュールはＩＣチップと、このＩＣチップに電源電圧を供給するボタン電池とを有し、前記ＩＣチップは押圧された選択ボタンを特定する情報と、押圧された時刻を時系列で記録する記録部と、前記記録部を制御する制御部と、外部のホスト装置との間で近接通信を行う無線通信部とを有する、情報記録装置である。
【００１５】
本実施の形態は、導電回路を含む最下層基板と、前記最下層基板に折畳まれる最上層基板とを備え、前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板と、前記導電回路に接続された通信モジュールとを備え、前記導電回路は、押圧可能な複数の選択ボタンに接続され、前記通信モジュールはＩＣチップと、このＩＣチップに電源電圧を供給するボタン電池とを有し、前記ＩＣチップは押圧された選択ボタンを特定する情報と、押圧された時刻を時系列で記録する記録部と、前記記録部を制御する制御部と、外部のホスト装置との間で近接通信を行う無線通信部とを有する、情報記録装置である。
【００１６】
本実施の形態は、導電回路を含む最下層基板と、前記最下層基板に折畳まれる最上層基板とを備え、前記最下層基板または前記最上層基板のうちいずれか一方に、当該基板を折曲げる折曲線が設けられ、他方のうち前記折曲線から延長する領域に、帯状の第１切取部が形成されている、回路基板と、前記導電回路に接続された通信モジュールとを備え、前記導電回路は、一部が破断可能となるとともに、押圧可能な複数の選択ボタンに接続され、前記通信モジュールはＩＣチップと、このＩＣチップに電源電圧を供給するボタン電池とを有し、前記ＩＣチップは前記導電回路の破断した位置情報と、破断した時刻を時系列で記録するとともに、押圧された選択ボタンを特定する情報と、押圧された時刻を時系列で記録する記録部と、前記記録部を制御する制御部と、外部のホスト装置との間で近接通信を行う無線通信部とを有する、情報記録装置である。
【００１７】
本実施の形態は、導電回路を含む最下層基板と、前記最下層基板に折畳まれる最上層基板とを備え、前記最下層基板または前記最上層基板のうちいずれか一方に、当該基板を折曲げるとともに互いに平行する一対の折曲線が設けられ、他方のうち前記一対の折曲線間から延長する領域に、帯状の幅広切取部が形成されている、回路基板と、前記導電回路に接続された通信モジュールとを備え、前記導電回路は、一部が破断可能となるとともに、押圧可能な複数の選択ボタンに接続され、前記通信モジュールはＩＣチップと、このＩＣチップに電源電圧を供給するボタン電池とを有し、前記ＩＣチップは前記導電回路の破断した位置情報と、破断した時刻を時系列で記録するとともに、押圧された選択ボタンを特定する情報と、押圧された時刻を時系列で記録する記録部と、前記記録部を制御する制御部と、外部のホスト装置との間で近接通信を行う無線通信部とを有する、情報記録装置である。
【発明の効果】
【００１８】
本発明によれば、基板を折り曲げてコンパクトな形状にした場合に、このコンパクトな形状を維持することができる。
【図面の簡単な説明】
【００１９】
【図１】図１は本発明の実施形態に係る情報記録装置の外観図。
【図２】図２は図１の情報記録装置の展開図。
【図３】図３は通信モジュールの概略構成を示すブロック図。
【図４】図４はＡＳＩＣの内部構成の一例を示すブロック図。
【図５】図５は情報記録装置の元となる紙基板を展開した図。
【図６Ａ】図６Ａはフレキシブル回路コネクタを示す平面図。
【図６Ｂ】図６Ｂはフレキシブル回路コネクタを示す側面図。
【図７】図７はフレキシブル回路コネクタを示す側断面図。
【図８】図８は本発明の変形例を示す情報記録装置の外観図。
【図９】図９は本発明の変形例による回路基板を示す平面図。
【図１０】図１０は図９に示す変形例による回路基板を示す部分拡大図。
【図１１】図１１は本発明の変形例による回路基板を示す平面図。
【図１２】図１２は図１１に示す変形例による回路基板を示す部分拡大図。
【図１３】図１３は本発明の変形例による回路基板を示す平面図。
【図１４】図１４は本発明の変形例による回路基板を示す平面図。
【図１５】図１５は本発明の変形例による回路基板を示す平面図。
【図１６】図１６は本発明の変形例による回路基板を示す平面図。
【図１７】図１７は本発明の変形例による回路基板を示す平面図。
【図１８】図１８は本発明の変形例による回路基板を示す平面図。
【図１９】図１９は本発明の変形例による回路基板を示す平面図。
【図２０】図２０は本発明の変形例による回路基板を示す平面図。
【図２１】図２１は本発明の変形例による回路基板を示す平面図。
【図２２】図２２は本発明の変形例による回路基板を示す平面図。
【図２３】図２３は本発明の変形例による回路基板を示す平面図。
【図２４】図２４は本発明の変形例による回路基板を示す平面図。
【図２５】図２５は本発明の変形例による回路基板を示す平面図。
【発明を実施するための形態】
【００２０】
＜本発明の実施の形態＞
以下、本発明の実施の形態について、詳細に説明する。  
本実施形態は、使用者が説明文の内容に従って任意のボタンを押圧することにより、その情報を無線通信により送信する情報記録カード（情報記録装置）１であって、図１はその外観図である。図１の情報記録装置１は、折り畳み式になっていて、展開すると図２のような情報入力面２が現れる。情報記録装置１としてはアンケートカード、または服薬記録カード等が考えられ、後述する紙基板３０と、紙基板３０上に設けられた導電回路１８Ａと、この導電回路１８Ａに回路コネクタ９０を介して接続された無線送信可能な通信モジュール１０とを備えている（図５参照）。
【００２１】
このうち紙基板３０と、この紙基板３０上に設けられた導電回路１８Ａとにより、回路基板７０が構成されている。なお、回路コネクタ９０は必ずしも設ける必要はなく、また回路コネクタ９０はフレキシブルなコネクタでも堅固なコネクタであってもよい。
【００２２】
情報記録カード１が服薬記録カードの場合、図２の情報入力面２は３面構成であり、第１面２ａにはスタートボタン３と取り消しボタン４が設けられ、第２面２ｂには患者が服用すべき薬（錠剤）５が配置され、第３面２ｃには患者の症状の度合いを入力するための選択ボタンが配置されている。第１面２ａの裏面側が図１の「情報記録カード」と記載された面である。
【００２３】
第３面２ｃには、薬の効用に関連する複数の症状が記載されている。図２の例では、（１）症状１、（２）症状２、（３）症状３、（４）症状４および（５）症状５の計５種類の症状が記載され、各症状ごとに、３通りの度合い（重度、中度、軽度）から一つを選択可能になっている。使用者はまず、５種類の症状に対応する選択ボタン６ａ〜６ｅからなる第１ボタン列６のいずれかを押圧して、特定の症状を選択した後に、引き続いて、その症状の度合いに対応する選択ボタン７ａ〜７ｃからなる第２ボタン列７のいずれかを押圧する。これにより、使用者は、薬を服用した後に特定の症状の度合いを入力できる。使用者は、必ずしも５種類の症状のすべてに回答する必要はなく、一部の症状のみに回答してもよい。
【００２４】
第１ボタン列６を構成する各選択ボタン６ａ〜６ｅは図２のＸ方向に沿って配置され、第２ボタン列７を構成する各選択ボタンは、第１ボタン列６に略平行にＹ方向に沿って複数列にわたって配置されている。
【００２５】
なお、第３面２ｃに記載された症状とその度合いは、あくまで一例にすぎず、薬の種類によって任意に変更して構わない。
【００２６】
使用者は、情報記録装置１の使用を開始するときに、スタートボタン３を押圧する。その後、使用者は、第２面２ｂに配置された錠剤５のケース５ａを指で押し込んで、第２面２ｂの下面側から薬を取り出して、服用する。そして、服用後の症状の度合いに該当する選択ボタン６，７を押圧する。
【００２７】
使用者が押圧したスタートボタン３、取り消しボタン４、錠剤５の各ケース５ａおよび各選択ボタン６，７の情報は、情報記録装置１内に内蔵された通信モジュール１０に自動的に記憶される仕組みになっている。
【００２８】
図３は上述した無線通信可能な通信モジュール１０の概略構成を示すブロック図である。図３の通信モジュール１０は、樹脂基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、樹脂基板１１の長辺に沿って形成される複数のパッド１６と、樹脂基板１１の外縁部に沿って形成されるアンテナパターン１７ａと、樹脂基板１１上に形成される導電パターン１７ｂとを有する。
【００２９】
図３は通信モジュール１０の内部構成を機能化したブロック図であり、実際の各回路部品やパターンの配置やサイズ、形状、個数は任意に変更可能である。
【００３０】
図４はＡＳＩＣ１２の内部構成の一例を示すブロック図である。図４のＡＳＩＣ１２は、使用者が押圧したスタートボタン３、取り消しボタン４、錠剤５の各ケース５ａおよび各選択ボタンの情報を時刻情報とともに時系列で記憶する記憶部２１と、記憶部２１に押圧情報を記憶する制御を行う制御部２２と、不図示のホストコンピュータとの間で無線通信を行う無線通信部２３とを有する。
【００３１】
記憶部２１は、使用者が押圧したボタンを特定する情報と、そのボタンが押圧された時刻情報とを組にして記憶する。取り消しボタン４は、取り消しボタン４が押圧される直前に押圧されたボタンの情報を取り消すことを意図したものである。ホストコンピュータは、記憶部２１に取り消しボタン４の押圧を特定する情報と、そのボタンが押圧された時刻情報とが記憶されている場合は、取り消しボタン４の直前に押圧されたボタンの情報を取り消す。
【００３２】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行う。
【００３３】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００３４】
次に、本実施形態に係る情報記録装置１の具体的構造について説明する。上述した情報記録装置１は、１枚の紙基板を縦方向に三等分して折り畳んだ三層構造であり、その表面に図２に示す情報入力面２が現れるようにしている。これをさらに後述する折曲線６４に沿って横方向に三等分して折り畳むと図１に示す構造になる。以下では、大元の１枚の紙基板に形成される導電パターンについて説明する。
【００３５】
図５は情報記録装置１の元となる紙基板３０を展開した図である。図５の紙基板３０を縦方向に延びる折り目６１で三等分に分割した各分割基板３０ａ，３０ｂ，３０ｃには、それぞれ異なる導電パターン１８や切り欠き等が設けられる。なお、これら３つの分割基板３０ａ〜３０ｃは、折り目６１で折り曲げ可能とされており、物理的に切り離されるものではない。また、各分割基板３０ａ，３０ｂ，３０ｃのうち最下層の分割基板３０ｂは折曲線６４を有し、この分割基板３０ｂは横方向に延びる２本の折曲線６４を介して三等分に折り畳まれる。図５において、各分割基板３０ｂには２本の単一の折曲線６４が設けられているが、単一の折曲線６４の代わりに一対の平行する折曲線６４，６４を設けてもよい（図８参照）。
【００３６】
図５の中央の分割基板３０ｂは、最下層に配置されて導電パターン１８が形成される最下層基板３０ｂである。その右側の分割基板３０ｃは、主に切り欠き６２とミシン目６３を有し、最下層基板３０ｂの上に配置される中間層基板３０ｃである。最下層基板３０ｂの左側の分割基板３０ａは、スイッチ接点の導通／遮断を行う導電パターン３８を有し、中間層基板３０ｃの上に配置される最上層基板３０ａである。
【００３７】
後述するように、三等分された最下層基板３０ｂに中間層基板３０ｃを折り畳んで熱圧着した後に、その上に錠剤５を含む成形シートを載せ、その上に最上層基板３０ａを折り畳んで熱圧着することにより、図２の構造が得られる。したがって、図５に示す最上層基板３０ａの裏面側が、図２に示す情報入力面２になる。
【００３８】
最下層基板３０ｂの上に中間層基板３０ｃを折り畳んで熱圧着する前に、最下層基板３０ｂに通信モジュール１０が接合され、その上に最上層基板３０ａが熱圧着される。このように、通信モジュール１０は、最下層基板３０ｂと最上層基板３０ａの間に挟み込まれる。これにより、最下層基板３０ｂの表面に形成された導電パターン１８と通信モジュール１０は、情報記録装置１の完成状態では、外見に現れない。同様に、最上層基板３０ａ上の導電パターンも、中間層基板３０ｃの上に折り畳まれて熱圧着されるため、外見に現れない。
【００３９】
次に、最下層基板３０ｂの表面に形成された導電パターン１８について図５を用いて説明する。図５の導電パターン１８は、三等分された第１〜第３面２ａ〜２ｃからなる情報入力面２に対応した第１〜第３パターン面３０ｂ１〜３０ｂ３を有する。
【００４０】
第１パターン面３０ｂ１は、スタートボタン３に対応したスイッチ接点３１と、取り消しボタン４に対応したスイッチ接点３２とを有する。第２パターン面３０ｂ２は、錠剤５の各ケース５ａに対応した計６つのスイッチ接点３３を有する。第３パターン面３０ｂ３は、患者の症状および症状の程度を選択する各選択ボタンに対応した計１５個のスイッチ接点３４〜３７を有する。
【００４１】
これらスイッチ接点３１〜３７のうち、錠剤５の各ケース５ａに対応した計６つのスイッチ接点３３は初期状態で導通しており、それ以外の全てのスイッチ接点３１，３２，３４〜３７は初期状態で遮断されている。
【００４２】
錠剤５の各ケース５ａに対応したスイッチ接点３３は、ケース５ａを押圧して錠剤５を取り出す際に物理的に破断されて、電気的導通が遮断される。それ以外のスイッチ接点３１，３２，３４〜３７は、対応するボタンを押圧したときに、情報入力面２の裏面側に設けられた円形の導電パターン３８が対応するスイッチ接点に接触して、押圧している間だけ一時的に導通する。
【００４３】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【００４４】
図５に示す各スイッチ接点３１〜３７の一端は、導電パターン１８を介して第１パターン面３０ｂ１上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、第１〜第３パターン面３０ｂ３の外縁に沿って、他の導電パターンとスイッチ接点を取り囲むように形成されている。
【００４５】
この接地パターン１８ａは、ノイズの低減を図るために、他の導電パターンよりも太く形成されている。
【００４６】
ここで上述した導電パターン１８と接地パターン１８ａとにより、導電回路１８Ａが構成される。また導電回路１８Ａに端子部３９が接続される。また紙基板３０と、紙基板３０上に形成された導電回路１８Ａとにより通信モジュール１０が接合される前の回路基板７０が構成される。
【００４７】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報と、接点の状態が変化した時刻情報とを記憶する。
【００４８】
第３パターン面３０ｂ３上の各スイッチ接点は、Ｘ方向に沿って配置される第１ボタン列に対応する第１スイッチ接点列３４と、第１ボタン列に略平行にＹ方向に沿って配置される複数の第２ボタン列に対応する複数の第２スイッチ接点列３５〜３７とにグループ分けされている。
【００４９】
第２スイッチ接点列３５〜３７のそれぞれにおける計５個のスイッチ接点の一端側はいずれも共通の端子に接続され、他端側はいずれも接地端子に接続されており、これら５個のスイッチ接点は並列接続されている。図５の例では、計５個のスイッチ接点が並列接続された第２スイッチ接点列３５〜３７が計３個設けられている。
【００５０】
並列接続された各スイッチ接点列３５〜３７内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点列３５〜３７内のスイッチ接点の状態を変化させる前に、第１スイッチ接点列３４内のスイッチ接点の状態を変化させるようにルール化することで、第２スイッチ接点列３５〜３７内のどのスイッチ接点の状態が変化したかを特定している。
【００５１】
より具体的には、まず第１スイッチ接点列３４内のいずれかのスイッチ接点の状態を変化させて、このスイッチ接点のＸ方向位置を検出する。そして、同じＸ方向位置にある第２スイッチ接点列３５〜３７内の計３個のスイッチ接点を選択候補として決定する。次に、これら３個のスイッチ接点の中で、状態が変化したものがあれば、そのスイッチ接点の情報を通信モジュール１０に伝達する。
【００５２】
このように、第１スイッチ接点列３４内のスイッチ接点の状態変化情報と、第２スイッチ接点列３５〜３７内のスイッチ接点の状態変化情報とを組み合わせることで、第２スイッチ接点列３５〜３７内の特定のスイッチ接点の状態を正しく通信モジュール１０に伝達することができる。
【００５３】
複数のスイッチ接点を並列接続して、一端側を共通の端子に接続することは、端子部３９内の端子の総数と導電パターン１８の数を削減できることから、特にパターン面積が限られている場合に有効である。第２スイッチ接点列３５〜３７内の複数のスイッチ接点を並列接続しても、第２スイッチ接点列３５〜３７と平行に配置された第１スイッチ接点列３４内のスイッチ接点の状態と組み合わせることで、第２スイッチ接点列３５〜３７内の特定のスイッチ接点の状態を正確に特定できるため、実用上の問題は起きない。  
このように、本実施形態に係る情報記録装置１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【００５４】
ところで、上述のように各分割基板３０ａ，３０ｂ，３０ｃのうち分割基板３０ｂは、横方向に延びる各々の折曲線６４を介して三等分に折り畳まれる。
【００５５】
また最下層基板３０ｂには、導電パターン１８と接地パターン１８ａとからなる導電回路１８Ａが設けられている。また最下層基板３０ｂの折曲線６４近傍には、折曲線６４を介して最下層基板３０ｂを繰り返し折り曲げた場合でも、導電回路１８Ａが破断したり破損することを防止するため、フレキシブル回路コネクタ８０Ａ，８０Ｂが設けられている。
【００５６】
具体的には最下層基板３０ｂは、横方向に延びる２本の折曲線６４を介して三等分に折り畳まれるが、この場合、最下層基板３０ｂは２本の折曲線６４により、第１基板９１と第２基板９２と第３基板９５とに区画され、第１基板９１と第２基板９２との間に折曲線６４を跨いでフレキシブル回路コネクタ８０Ａが設けられ、第２基板９２と第３基板９５との間に折曲線６４を跨いでフレキシブル回路コネクタ８０Ｂが設けられている。
【００５７】
フレキシブル回路コネクタ８０Ａ，８０Ｂは、略同様の構造をもつため、ここではフレキシブル回路コネクタ８０Ａについて図６Ａおよび図６Ｂにより説明する。
【００５８】
図６Ａおよび図６Ｂに示すように、導電回路１８Ａのうち第１基板９１上の導電回路は、第１導電回路９３となっており、第２基板９２上の導電回路は第２導電回路９４となっている。
【００５９】
フレキシブル回路コネクタ８０Ａは最下層基板３０ｂのうち、折曲線６４を介して連結された第１基板９１と第２基板９２との間に折曲線６４を跨いで設けられ、第１基板９１側の第１導電回路９３と第２基板９２側の第２導電回路９４とを接続するものである。この場合、第１基板９１上の第１導電回路９３と第２基板９２上の第２導電回路９４は互いに離間し、フレキシブル回路コネクタ８０Ａを設けることにより、初めて導通するようになっている。しかしながら、フレキシブル回路コネクタ８０Ａがない場合でも、第１基板９１上の第１導電回路９３と第２基板９２上の第２導電回路９４を接続しておいてもよい。この場合、フレキシブル回路コネクタ８０Ａは、第１導電回路９３と第２導電回路９４が切断した際のバックアップ回路として機能する。
【００６０】
次にフレキシブル回路コネクタ８０Ａについて更に述べる。
【００６１】
図５、図６Ａおよび図６Ｂに示すように、フレキシブル回路コネクタ８０Ａは、絶縁性基材８１と、絶縁性基材８１の一側に設けられた一側端子部８３と、絶縁性基材８１の他側に設けられた他側端子部８４と、これら一側端子部８３と他側端子部８４とを接続する複数の導電部（導電インキ）８２とを有する。
【００６２】
この場合、導電部８２は一側端子部８３から他側端子部８４まで直線状に延びている。
【００６３】
また一側端子部８３および他側端子部８４上には、ヒートシール時に異方導電性能を発現する異方導電性接着剤８７が設けられている。
【００６４】
ところで、一側端子部８３は第１基板９１上の第１導電回路９３に接続される端子部であり、他側端子部８４は第２基板９２上の第２導電回路９４に接続される端子部である。
【００６５】
また絶縁性基材８１上には、一側端子部８３と一側端子部８３上の異方導電性接着剤８７、他側端子部８４と他側端子部８４上の異方導電性接着剤８７を露出させ、導電部８２上を覆ってアクリルからなる絶縁層８８が設けられている。
【００６６】
絶縁層８８の材質としては、特に限定はなく、ビニル系、ゴム系などの材料を使用できる。また、図７Ａに示すように、フレキシブル回路コネクタ８０の絶縁層８８として、異方導電性接着剤製のものを使用することもできる。
【００６７】
図７において、導電部８２上に同一の異方導電性接着剤を印刷することにより、異方導電性接着剤からなり異方導電性能を発現する予定となる異方導電性能発現予定部８７ａと、異方導電性能を発現しない異方導電性接着剤製の絶縁層８８とを同時に形成することができ、製造効率の向上を図ることができる。
【００６８】
図７に示すように、フレキシブル回路コネクタ８０Ａを第１導電回路９３または第２導電回路９４にヒートシールする際、異方導電性接着剤からなる異方導電性能発現予定部８７ａがヒートシールされて、異方導電性能を発現する異方導電性能発現部８７ｂに変わる。図７において、絶縁層８８は、異方導電性接着剤からなるが、異方導電性能は発現していない。
【００６９】
なお、フレキシブル回路コネクタ８０の絶縁性基材８１は、柔軟性基材、例えばポリエチレンテレフタレートまたはポリブチレンテレフタレート製の基材からなる。そしてフレキシブル回路コネクタ８０は一側端子部８３および他側端子部８４を下方に向けて、一側端子部８３と第１基板９１の第１導電回路９３を接続させ、他側端子部８４と第２基板９２の第２導電回路９４とを接続させて、第１導電回路９３と第２導電回路９４とを接続する（図６Ａおよび図６Ｂ参照）。
【００７０】
このように最下層基板３０ｂの第１基板９１と第２基板９２との間に折曲線６４を跨いで、第１導電回路９３と第２導電回路９４を接続してフレキシブル回路コネクタ８０Ａを設けることにより、最下層基板３０ｂを折曲線６４を介して繰り返し折り曲げたり拡げたりした場合であっても、フレキシブル回路コネクタ８０Ａが破断することはない。このことにより、第１基板９１の第１導電回路９３と第２基板９２の第２導電回路９４との間で、破断したり破損することなく、常に安定的に第１導電回路９３と第２導電回路９４との間の導通を得ることができる。
【００７１】
次にフレキシブル回路コネクタの使用方法について図６Ａおよび図６Ｂにより説明する。
【００７２】
まず上述したフレキシブル回路コネクタ８０Ａを準備する。次にフレキシブル回路コネクタ８０Ａの一側端子部８３と第１基板９１の第１導電回路９３とが接続される。この場合、フレキシブル回路コネクタ８０Ａは一側端子部８３および他側端子部８４を下方に向けて第１導電回路９３上に重ね合わされ、フレキシブル回路コネクタ８０Ａの一側端子部８３が上方から加熱押圧（ヒートシール）される。このことにより一側端子部８３上の異方導電性接着剤８７が異方導電性能を発現して、一側端子部８３と第１導電回路９３とが接続される。
【００７３】
同様にしてフレキシブル回路コネクタ８０Ａの他側端子部８４と第２基板９２の第２導電回路９４とが接続される。
【００７４】
次に紙基板３０について図５により更に述べる。紙基板３０のうち、中間層基板３０ｃは最下層基板３０ｂの導電回路１８Ａと、最上層基板３０ａの導電パターン３８とを分離するスペーサとして機能する。このため中間層基板３０ｃを設けることによって、最上層基板３０ａの導電パターン３８近傍にエンボス加工を施して導電パターン３８を引込める必要はなく、各種ボタン２，３，４，５，６，７を押圧した場合に、押圧されたボタンに対応する導電回路１８Ａの各種接点３１〜３７のみを確実に導通させることができる。
【００７５】
また図５に示すように、紙基板３０の最下層基板３０ｂは２本の折曲線６４により折曲げ自在となっており、さらに最上層基板３０ａには、最下層基板３０ｂの各折曲線６４から延長する領域に、折曲線６４から延長する帯状の第１切取部１０１が設けられている。また中間層基板３０ｃにも、最下層基板３０ｂの各折曲線６４から延長する領域に、折曲線６４から延長する帯状の第２切取部１０２が設けられている。
【００７６】
これら最上層基板３０ａの第１切取部１０１と中間層基板３０ｃの第２切取部１０２は、略同様の構成と作用効果をもつため、ここでは第１切取部１０１について詳述する。
【００７７】
図５において、最下層基板３０ｂ上に中間層基板３０ｃを介して最上層基板３０ａを折り畳む。次に紙基板３０を折曲線６４および第１切取部１０１および第２切取部１０２を介してさらに折り畳む。このとき、最上層基板３０ａは、２つの第１切取部１０１により３つの分離した基板１０３，１０４，１０５に分離されているため、この３つの分離した基板１０３，１０４，１０５を第１切取部１０１を介して互いに重ね合わせた状態となり、これら基板１０３，１０４，１０５が復元力により元に戻る力が働くことはなく、重ね合わされた状態を確実に維持することができる。
【００７８】
すなわち、最上層基板３０ａを折曲線を介して３つに折曲げた場合に、折曲げられた基板は復元力により元に戻る力が働いて、元の状態（拡げた状態）に戻ろうとする。これに対して本実施の形態によれば、最上層基板３０ａは２本の第１切取部１０１を介して分離された３つの基板１０３，１０４，１０５を有し、これらの基板１０３，１０４，１０５は第１切取部１０１を介して互いに重ね合わされるため、基板１０３，１０４，１０５に対して復元力が働くことはなく、重ね合わされた状態を確実に維持することができる。
【００７９】
同様に中間層基板３０ｃは、２本の第２切取部１０２を介して３つの基板１０６，１０７，１０８に分離され、３つの基板１０６，１０７，１０８は第２切取部１０２を介して互いに重ね合わされることが可能となる。
【００８０】
なお、上記実施の形態において、紙基板３０が中間層基板３０ｃを有する例を示したが、中間層基板３０ｃは必ずしも設ける必要はなく、紙基板３０は最下層基板３０ｂと最上層基板３０ａのみを有していてもよい。
【００８１】
また、最下層基板３０ｂに折曲線６４を設けるとともに、最上層基板３０ａおよび中間層基板３０ｃに、第１切取部１０１と第２切取部１０２を設けた例を示したが、最上層基板３０ａに折曲線６４を設け、最下層基板３０ｂに第１切取部を設け、中間層基板３０ｃに第２切取部を設けてもよい。
【００８２】
＜本発明の変形例＞
次に図９乃至図２３により、本発明の変形例について説明する。図９乃至図２３に示す変形例は紙基板３０の構造が異なるのみであり、他の構成は図１乃至図８に示す実施の形態と略同一である。図９乃至図２３に示す変形例において、図１乃至図８に示す実施の形態と同一部分には同一符号を付して詳細な説明は省略する。
【００８３】
図９および図１０に示すように、紙基板３０は導電パターン１８を含む導電回路１８Ａが形成された最下層基板３０ｂと、最下層基板３０ｂ上に折り目６１を介して折畳まれる最上層基板３０ａとを有している。
【００８４】
最下層基板３０ｂは折曲線６４を介して２つの基板９２，９５に折曲自在となっており、一方の基板９５に導電パターン１８を含む導電回路１８Ａが形成され、導電回路１８Ａに通信モジュール１０が接続されている。
【００８５】
最下層基板３０ｂの基板９５には、導電パターン１８の一部を囲むミシン目６３が設けられ、最上層基板３０ａには、ミシン目６３に対応して切り欠き６２が設けられている（図１０参照）。
【００８６】
また最上層基板３０ａには、折曲線６４から延長する領域に帯状の第１切取部１０１が設けられ、最上層基板３０ａは第１切取部１０１により２つの基板１０４，１０５に分離され、切り欠き６２は基板１０５に設けられている。
【００８７】
図９および図１０において、錠剤５のケース５ａを切り欠き６２側から押圧して錠剤５をミシン目６３側から取り出す際に、ミシン目６３を切断することにより、導電パターン１８を破断することができる（図２参照）。
【００８８】
あるいは図１１および図１２に示すように、紙基板３０は導電パターン１８を含む導電回路１８Ａが形成された最下層基板３０ｂと、最下層基板３０ｂ上に折り目６１を介して折畳まれる最上層基板３０ａとを有している。
【００８９】
最下層基板３０ｂは折曲線６４を介して２つの基板９２，９５に折曲自在となっており、一方の基板９５に導電パターン１８を含む導電回路１８Ａが形成され、導電回路１８Ａに通信モジュール１０が接続されている。
【００９０】
最下層基板３０ｂの基板９５に設けられた導電パターン１８には、スタートボタン３に対応する接点３１と複数の選択ボタン６，７に対応する接点３４が設けられ、最上層基板３０ａには、接点３１及び３４に対応してエンボス加工により浮き上がるエンボス部３８Ａと、エンボス部３８Ａにより囲まれた導電パターン３８が設けられている（図１２参照）。
【００９１】
また最上層基板３０ａには、折曲線６４から延長する領域に帯状の第１切取部１０１が設けられ、最上層基板３０ａは第１切取部１０１により２つの基板１０４，１０５に分離されている。
【００９２】
図１１および図１２において、最上層基板３０ａから導電パターン３８側を押圧して接点３１及び３４を閉じることにより、導電パターン１８を導通させることができる。
【００９３】
あるいは図１３に示すように、紙基板３０は導電パターン１８を含む導電回路１８Ａが形成された最下層基板３０ｂと、最下層基板３０ｂ上に折り目６１を介して折畳まれる最上層基板３０ａとを有している。
【００９４】
最下層基板３０ｂは折曲線６４を介して２つの基板９２，９５に折曲自在となっており、基板９２および基板９５に導電パターン１８を含む導電回路１８Ａが形成され、導電回路１８Ａに通信モジュール１０が接続されている。
【００９５】
最下層基板３０ｂの基板９２には、導電パターン１８の一部を囲むミシン目６３が設けられ、最上層基板３０ａには、ミシン目６３に対応して切り欠き６２が設けられている（図１３参照）。
【００９６】
また最上層基板３０ａには、折曲線６４から延長する領域に帯状の第１切取部１０１が設けられ、最上層基板３０ａは第１切取部１０１により２つの基板１０４，１０５に分離されている。
【００９７】
図１３において、錠剤５のケース５ａを切り欠き６２側から押圧して錠剤５をミシン目６３側から取り出す際に、ミシン目６３を切断することにより、導電パターン１８を破断することができる（図２参照）。
【００９８】
あるいはまた図１４に示すように、紙基板３０は導電パターン１８を含む導電回路１８Ａが形成された最下層基板３０ｂと、最下層基板３０ｂ上に折り目６１を介して折畳まれる最上層基板３０ａとを有している。
【００９９】
最下層基板３０ｂは折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１００】
最下層基板３０ｂの導電パターン１８には、スタートボタン３に対応する接点３１と複数の選択ボタン６，７に対応する接点３４が設けられ、最上層基板３０ａには、接点３１及び３４に対応してエンボス部３８Ａにより囲まれた導電パターン３８が設けられている（図１４参照）。
【０１０１】
また最上層基板３０ａには、折曲線６４から延長する領域に帯状の第１切取部１０１が設けられ、最上層基板３０ａは第１切取部１０１により２つの基板１０４，１０５に分離されている。
【０１０２】
図１４において、最上層基板３０ａから導電パターン３８側を押圧して接点３１又は３４を導通させることができる。
【０１０３】
あるいは図１５に示すように、紙基板３０は導電パターン１８を含む導電回路１８Ａが形成された最下層基板３０ｂと、最下層基板３０ｂ上に折り目６１を介して折畳まれる最上層基板３０ａとを有している。
【０１０４】
最下層基板３０ｂは折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１０５】
最下層基板３０ｂの基板９２には、導電パターン１８の一部を囲むミシン目６３が設けられ、最上層基板３０ａには、ミシン目６３に対応して切り欠き６２が設けられている（図１５参照）。
【０１０６】
また最上層基板３０ａには、折曲線６４から延長する領域に帯状の第１切取部１０１が設けられ、最上層基板３０ａは第１切取部１０１により２つの基板１０４，１０５に分離されている。また、導電回路１８Ａには折曲線６４を跨いで、フレキシブル回路コネクタ８０が設けられている。
【０１０７】
図１５において、錠剤５のケース５ａを切り欠き６２側から押圧して錠剤５をミシン目６３側から取り出す際に、ミシン目６３を切断することにより、導電パターン１８を破断することができる（図２参照）。
【０１０８】
あるいはまた図１６に示すように、紙基板３０は導電パターン１８を含む導電回路１８Ａが形成された最下層基板３０ｂと、最下層基板３０ｂ上に折り目６１を介して折畳まれる最上層基板３０ａとを有している。
【０１０９】
最下層基板３０ｂは折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１１０】
最下層基板３０ｂの導電パターン１８には、スタートボタン３に対応する接点３１と複数の選択ボタン６，７に対応する接点３４が設けられ、最上層基板３０ａには、接点３１及び３４に対応してエンボス部３８Ａにより囲まれた導電パターン３８が設けられている（図１６参照）。
【０１１１】
また最上層基板３０ａには、折曲線６４から延長する領域に帯状の第１切取部１０１が設けられ、最上層基板３０ａは第１切取部１０１により２つの基板１０４，１０５に分離されている。また導電回路１８Ａには折曲線６４を跨いでフレキシブル回路コネクタ８０が設けられている。
【０１１２】
図１６において、最上層基板３０ａから導電パターン３８を押圧して、接点３１又は３４を導通させることができる。
【０１１３】
あるいは、図１７に示すように、紙基板３０は導電パターン１８を含む導電回路１８Ａが形成された最下層基板３０ｂと、最下層基板３０ｂに折り目６１を介して折畳まれる最上層基板３０ａと、最下層基板３０ｂ上に折り目６１を介して折畳まれるとともに折畳み時に最下層基板３０ｂと最上層基板３０ａとの間に介在される中間層基板３０ｃとを有している。
【０１１４】
最下層基板３０ｂは折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１１５】
最下層基板３０ｂの基板９５には、導電パターン１８の一部を囲むミシン目６３が設けられ、また中間層基板３０ｃにも最下層基板３０ｂのミシン目６３に対応してミシン目６３が設けられている。また最上層基板３０ａには、ミシン目６３に対応して切り欠き６２が設けられている（図１７参照）。
【０１１６】
また最上層基板３０ａには、折曲線６４から延長する領域に帯状の第１切取部１０１が設けられ、最上層基板３０ａは第１切取部１０１により２つの基板１０４，１０５に分離されている。また、中間層基板３０ｃにも折曲線６４から延長する領域に帯状の第２切取部１０２が設けられ、中間層基板３０ｃは第２切取部１０２によって２つの基板１０７，１０８に分離されている。
【０１１７】
図１７において、錠剤５のケース５ａを切り欠き６２側から押圧して錠剤５をミシン目６３側から取り出す際に、ミシン目６３を切断することにより、導電パターン１８を破断することができる（図２参照）。
【０１１８】
さらにまた、図１７において、中間層基板３０ｃには、通信モジュール１０用の切り欠き６２が設けられている。
【０１１９】
あるいはまた、図１８に示すように、紙基板３０は導電パターン１８を含む導電回路１８Ａが形成された最下層基板３０ｂと、最下層基板３０ｂに折り目６１を介して折畳まれる最上層基板３０ａと、最下層基板３０ｂ上に折り目６１を介して折畳まれるとともに折畳み時に最下層基板３０ｂと最上層基板３０ａとの間に介在される中間層基板３０ｃとを有している。
【０１２０】
最下層基板３０ｂは折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１２１】
最下層基板３０ｂの導電パターン１８には、スタートボタン３に対応する接点３１と複数の選択ボタン６，７に対応する接点３４が設けられている。
【０１２２】
また最上層基板３０ａには、折曲線６４から延長する領域に帯状の第１切取部１０１が設けられ、最上層基板３０ａは第１切取部１０１により２つの基板１０４，１０５に分離されている。また、中間層基板３０ｃにも折曲線６４から延長する領域に帯状の第２切取部１０２が設けられ、中間層基板３０ｃは第２切取部１０２によって２つの基板１０７，１０８に分離されている。
【０１２３】
また図１８に示すように、最上層基板３０ａには接点３１及び３４に対応する部分に、エンボス部３８Ａにより囲まれた導電パターン３８が設けられ、中間層基板３０ｃには接点３１及び３４に対応する部分に切り欠き６２が設けられている。
【０１２４】
また中間層基板３０ｃには、通信モジュール１０に対応して切り欠き６２が設けられている。
【０１２５】
図１８において、最上層基板３０ａから導電パターン３８側を押圧して接点３１又は３４を導通させることができる。
【０１２６】
あるいはまた、図１９に示すように、紙基板３０は導電パターン１８を含む導電回路１８Ａが形成された最下層基板３０ｂと、最下層基板３０ｂに折り目６１を介して折畳まれる最上層基板３０ａと、最下層基板３０ｂ上に折り目６１を介して折畳まれるとともに折畳み時に最下層基板３０ｂと最上層基板３０ａとの間に介在される中間層基板３０ｃとを有している。
【０１２７】
最下層基板３０ｂは一対の折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１２８】
最下層基板３０ｂの基板９２には、導電パターン１８の一部を囲むミシン目６３が設けられ、また中間層基板３０ｃにも最下層基板３０ｂのミシン目６３に対応してミシン目６３が設けられている。また最上層基板３０ａには、ミシン目６３に対応して切り欠き６２が設けられている（図１９参照）。
【０１２９】
また図１９に示すように、最下層基板３０ｂに設けられた一対の折曲線６４，６４は互いに平行している。
【０１３０】
また最上層基板３０ａには、一対の折曲線６４，６４間から延長する領域に帯状の幅広切取部１０１Ａが形成され、最上層基板３０ａは幅広切取部１０１Ａにより基板１０４，１０５に分離されている。
【０１３１】
さらに中間層基板３０ｃにも、一対の折曲線６４，６４間から延長する領域に帯状の幅広切取部１０２Ａが形成され、中間層基板３０ｃは幅広切取部１０２Ａにより基板１０７，１０８に分離されている。
【０１３２】
図１９において、帯状の幅広切取部１０１Ａ，１０２Ａの幅は、一対の折曲線６４，６４間の幅より大きくなっている。
【０１３３】
なお、図１９において、中間層基板３０ｃには、通信モジュール１０に対応して切り欠き６２が設けられている。
【０１３４】
図１９において、錠剤５のケース５ａを切り欠き６２側から押圧して錠剤５をミシン目６３側から取り出す際に、ミシン目６３を切断することにより、導電パターン１８を破断することができる（図２参照）。
【０１３５】
図１９に示すように、最上層基板３０ａと中間層基板３０ｃに、各々一対の折曲線６４，６４間の幅よりも大きな幅をもつ幅広切取部１０１Ａ，１０２Ａを設けたことにより、最上層基板３０ａと中間層基板３０ｃに対して復元力が生じることをより確実に防ぐことができ、コンパクトな形状を確実に維持することができる。また、幅広切取部１０１Ａ，１０２Ａはその幅が大きいことにより、打抜き加工等により容易に作製することができる。
【０１３６】
あるいはまた、図２０に示すように、紙基板３０は導電パターン１８を含む導電回路１８Ａが形成された最下層基板３０ｂと、最下層基板３０ｂに折り目６１を介して折畳まれる最上層基板３０ａと、最下層基板３０ｂ上に折り目６１を介して折畳まれるとともに折畳み時に最下層基板３０ｂと最上層基板３０ａとの間に介在される中間層基板３０ｃとを有している。
【０１３７】
最下層基板３０ｂは一対の折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１３８】
最下層基板３０ｂの導電パターン１８には、スタートボタン３に対応する接点３１と複数の選択ボタン６，７に対応する接点３４が設けられている。
【０１３９】
また図２０に示すように、最下層基板３０ｂに設けられた一対の折曲線６４，６４は互いに平行している。
【０１４０】
また最上層基板３０ａには、一対の折曲線６４，６４間から延長する領域に帯状の幅広切取部１０１Ａが形成され、最上層基板３０ａは幅広切取部１０１Ａにより基板１０４，１０５に分離されている。
【０１４１】
さらに中間層基板３０ｃにも、一対の折曲線６４，６４間から延長する領域に帯状の幅広切取部１０２Ａが形成され、中間層基板３０ｃは幅広切取部１０２Ａにより基板１０７，１０８に分離されている。
【０１４２】
図２０において、帯状の幅広切取部１０１Ａ，１０２Ａの幅は、一対の折曲線６４，６４間の幅より大きくなっている。
【０１４３】
図２０に示すように、最上層基板３０ａには接点３１及び３４に対応する部分に、エンボス部３８Ａにより囲まれた導電パターン３８が設けられ、中間層基板３０ｃには接点３１及び３４に対応する部分に切り欠き６２が設けられている。
【０１４４】
また中間層基板３０ｃには、通信モジュール１０に対応して切り欠き６２が設けられている。
【０１４５】
図２１に示すように、紙基板３０は導電パターン１８を含む導電回路１８Ａが形成された最下層基板３０ｂと、最下層基板３０ｂ上に折り目６１を介して折畳まれる最上層基板３０ａとを有している。
【０１４６】
最下層基板３０ｂは一対の折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１４７】
最下層基板３０ｂの基板９２には、導電パターン１８の一部を囲むミシン目６３が設けられ、最上層基板３０ａには、ミシン目６３に対応して切り欠き６２が設けられている（図２１参照）。
【０１４８】
また最上層基板３０ａには、各折曲線６４から延長する領域に帯状の一対の第１切取部１０１が設けられ、最上層基板３０ａは一対の第１切取部１０１により２つの基板１０４，１０５に分離されている。
【０１４９】
また図２１に示すように、帯状の一対の切取部１０１間には、最下層基板３０ｂから延びる帯状フラップ１１０が形成されている。
【０１５０】
この帯状フラップ１１０は最下層基板３０ｂ上に設けられた導電回路１８Ａの導電パターン１８を覆って、これを隠しかつ保護する。
【０１５１】
あるいはまた、図２１において、錠剤５のケース５ａを切り欠き６２側から押圧して錠剤５をミシン目６３側から取り出す際に、ミシン目６３を切断することにより、導電パターン１８を破断することができる（図２参照）。
【０１５２】
図２２に示すように、紙基板３０は導電パターン１８を含む導電回路１８Ａが形成された最下層基板３０ｂと、最下層基板３０ｂに折り目６１を介して折畳まれる最上層基板３０ａと、最下層基板３０ｂ上に折り目６１を介して折畳まれるとともに折畳み時に最下層基板３０ｂと最上層基板３０ａとの間に介在される中間層基板３０ｃとを有している。
【０１５３】
最下層基板３０ｂは一対の折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１５４】
最下層基板３０ｂの基板９２には、導電パターン１８の一部を囲むミシン目６３が設けられ、また中間層基板３０ｃにも最下層基板３０ｂのミシン目６３に対応してミシン目６３が設けられている。また最上層基板３０ａには、最下層基板３０ｂおよび中間層基板３０ｃのミシン目６３に対応して切り欠き６２が設けられている（図２２参照）。
【０１５５】
また、図２２に示すように、最下層基板３０ｂに設けられた一対の折曲線６４，６４は互いに平行している。
【０１５６】
また最上層基板３０ａには、一対の折曲線６４，６４間から延長する領域に帯状の幅広切取部１０１Ａが形成され、最上層基板３０ａは幅広切取部１０１Ａにより、基板１０４，１０５に分離されている。
【０１５７】
さらに中間層基板３０ｃは、各折曲線６４，６４から延長する領域に帯状の一対の第２切取部１０２が形成され、中間層基板３０ｃは一対の第２切取部１０２によって基板１０７，１０８に分離されている。
【０１５８】
そして一対の第２切取部１０２間には、最下層基板３０ｂから延びるとともに、最下層基板３０ｂ上の導電回路１８Ａの導電パターン１８を隠しかつ保護する帯状フラップ１１１が設けられている。
【０１５９】
図２２において、幅広切取部１０１Ａの幅は、一対の折曲線６４，６４間の幅より大きくなっている。
【０１６０】
また最下層基板３０ｃには、通信モジュール１０用の切り欠き６２が設けられている。
【０１６１】
あるいはまた、図２３に示すように、紙基板３０は導電パターン１８を含む導電回路１８Ａが形成された最下層基板３０ｂと、最下層基板３０ｂに折り目６１を介して折畳まれる最上層基板３０ａと、最下層基板３０ｂ上に折り目６１を介して折畳まれるとともに折畳み時に最下層基板３０ｂと最上層基板３０ａとの間に介在される中間層基板３０ｃとを有している。
【０１６２】
最下層基板３０ｂは一対の折曲線６４を介して２つの基板９２，９５に折曲自在となっており、基板９２および基板９５に導電パターン１８を含む導電回路１８Ａが形成され、導電回路１８Ａに通信モジュール１０が接続されている。
【０１６３】
最下層基板３０ｂの基板９２には、導電パターン１８の一部を囲むミシン目６３が設けられ、また中間層基板３０ｃにも最下層基板３０ｂのミシン目６３に対応して切り欠き６２が設けられている。また最上層基板３０ａには、ミシン目６３に対応して切り欠き６２が設けられている（図２３参照）。
【０１６４】
また最上層基板３０ａに設けられた一対の折曲線６４，６４は互いに平行している。
【０１６５】
また最上層基板３０ａには、一対の折曲線６４，６４間から延長する領域に、帯状の幅広切取部１０１Ａが形成され、最上層基板３０ａは幅広切取部１０１Ａにより、基板１０４，１０５に分離されている。
【０１６６】
さらに中間層基板３０ｃには、一対の折曲線６４，６４間から延長する領域に、帯状の幅広切取部１０２Ａが形成され、中間層基板３０ｃは幅広切取部１０２Ａにより、基板１０７，１０８に分離されている。
【０１６７】
図２３において、幅広切取部１０１Ａ，１０２Ａの幅は、一対の折曲線６４，６４間の幅より大きくなっている。また、中間層基板３０ｃには、通信モジュール１０用の切り欠き６２が設けられている。
【０１６８】
また最下層基板３０ｂには、一対の折曲線６４，６４を跨いでフレキシブル回路コネクタ８０が設けられている。さらに最上層基板３０ａの基板１０４および中間層基板３０ｃの基板１０７には、各々幅広切取部１０１Ａおよび幅広切取部１０２Ａ側に突出するフラップ１１２およびフラップ１１３が設けられている。
【０１６９】
最上層基板３０ａ側のフラップ１１２および中間層基板３０ｃ側のフラップ１１３は、いずれも最下層基板３０ｂ上に折畳まれた際に、フレキシブル回路コネクタ８０の両端を上方から抑えてフレキシブル回路コネクタ８０の浮き上がりを防止する。
【０１７０】
あるいはまた、図２４に示すように、紙基板３０は導電パターン１８を含む導電回路１８Ａが形成された最下層基板３０ｂと、最下層基板３０ｂ上に折り目６１を介して折畳まれる最上層基板３０ａとを有している。
【０１７１】
最上層基板３０ａは一対の折曲線６４，６４を介して２つの基板１０４，１０５に折曲自在となっている。
【０１７２】
また最下層基板３０ｂには、一対の折曲線６４間から延長する領域に帯状の幅広切取部１１５が設けられ、最下層基板３０ｂは幅広切取部１１５により２つの基板９２，９５に分離されている。また最下層基板３０ｂの基板９５に、導電パターン１８を含む導電回路１８Ａが形成され、導電回路１８Ａに通信モジュール１０が接続されている。
【０１７３】
最下層基板３０ｂの基板９５には、導電パターン１８の一部を囲むミシン目６３が設けられ、最上層基板３０ａには、ミシン目６３に対応して切り欠き６２が設けられている（図２４参照）。
【０１７４】
図２４において、最下層基板３０ｂの幅広切取部１１５の幅は、一対の折曲線６４，６４間の幅より大きくなっている。
【０１７５】
さらに最下層基板３０ｂの基板９２および最上層基板３０ａの基板１０４は、いずれも表示スペースとなっており、この基板９２，１０４には印刷により文字、図形等が表示される。
【０１７６】
図２４において、錠剤５のケース５ａを切り欠き６２側から押圧して錠剤５をミシン目６３側から取り出す際に、ミシン目６３を切断することにより、導電パターン１８を破断することができる（図２参照）。
【０１７７】
あるいはまた、図２５に示すように、紙基板３０は導電パターン１８を含む導電回路１８Ａが形成された最下層基板３０ｂと、最下層基板３０ｂ上に折り目６１を介して折畳まれる最上層基板３０ａとを有している。
【０１７８】
最上層基板３０ａは一対の折曲線６４，６４を介して２つの基板１０４，１０５に折曲自在となっている。
【０１７９】
また最下層基板３０ｂには、一対の折曲線６４間から延長する領域に帯状の幅広切取部１１５が設けられ、最下層基板３０ｂは幅広切取部１１５により２つの基板９２，９５に分離されている。また最下層基板３０ｂの基板９５に、導電パターン１８を含む導電回路１８Ａが形成され、導電回路１８Ａに通信モジュール１０が接続されている。
【０１８０】
最下層基板３０ｂの導電パターン１８には、スタートボタン３に対応する接点３１と複数の選択ボタン６，７に対応する接点３４が設けられ、最上層基板３０ａには、接点３１及び３４に対応してエンボス部３８Ａにより囲まれた導電パターン３８が設けられている（図２５参照）。
【０１８１】
図２５において、最下層基板３０ｂの幅広切取部１１５の幅は、一対の折曲線６４，６４間の幅より大きくなっている。
【０１８２】
さらに最下層基板３０ｂの基板９２および最上層基板３０ａの基板１０４は、いずれも表示スペースとなっており、この基板９２，１０４には印刷により文字、図形等が表示される。
【０１８３】
図２５において、最上層基板３０ａの導電パターン３８側から押圧することにより、導通させることができる。
【符号の説明】
【０１８４】
１  情報記録装置
２  情報入力面
３  スタートボタン
４  取り消しボタン
５  薬（錠剤）
６（６ａ〜６ｅ）  選択ボタン
７（７ａ〜７ｃ）  選択ボタン
１０  通信モジュール
１１  樹脂基板
１２  ＡＳＩＣ
１３  水晶振動子
１４  ボタン電池
１５  スピーカ
１６  パッド
１７  アンテナパターン
１８  導電パターン
１８Ａ  導電回路
１８ａ  接地パターン
３０  紙基板
３０ａ，３０ｂ，３０ｃ  分割基板
３０ｂ１  第１パターン面
３０ｂ２  第２パターン面
３０ｂ３  第３パターン面
３１〜３７  スイッチ接点
３９  端子部
６１  折り目
６２  切り欠き
６３  ミシン目
６４  折曲線
７０  回路基板
８０  フレキシブル回路コネクタ
８３  一側端子部
８４  他側端子部
８７  異方導電性接着剤
８８  絶縁層
９０  回路コネクタ
９１  第１基板
９２  第２基板
９５  第３基板
１０１  第１切取部
１０１Ａ  幅広切取部
１０２  第２切取部
１０２Ａ  幅広切取部
１０４  基板
１０５  基板
１０７  基板
１０８  基板
１１０  帯状フラップ
１１２  フラップ
１１３  フラップ
１１５  幅広切取部
【図１】
2018067577.tif 000003
【図２】
2018067577.tif 000004
【図３】
2018067577.tif 000005
【図４】
2018067577.tif 000006
【図５】
2018067577.tif 000007
【図６Ａ】
2018067577.tif 000008
【図６Ｂ】
2018067577.tif 000009
【図７】
2018067577.tif 000010
【図８】
2018067577.tif 000011
【図９】
2018067577.tif 000012
【図１０】
2018067577.tif 000013
【図１１】
2018067577.tif 000014
【図１２】
2018067577.tif 000015
【図１３】
2018067577.tif 000016
【図１４】
2018067577.tif 000017
【図１５】
2018067577.tif 000018
【図１６】
2018067577.tif 000019
【図１７】
2018067577.tif 000020
【図１８】
2018067577.tif 000021
【図１９】
2018067577.tif 000022
【図２０】
2018067577.tif 000023
【図２１】
2018067577.tif 000024
【図２２】
2018067577.tif 000025
【図２３】
2018067577.tif 000026
【図２４】
2018067577.tif 000027
【図２５】
2018067577.tif 000028